(57)【要約】      （修正有）【課題】“こり”や“ハリ”などを感じる身体の部位に、粒状の硬質物を押し付けつつ貼り付けて当該部分を圧迫し、“こり”や“ハリ”などを緩解する貼付具を提供する。【解決手段】一側縁から当該一側縁に直交して延びる第一の切込み線４と、当該第一の切込み線４の先端に周縁が当接して形成されている第一の小円孔５とを備えている第一の支持シート３と、当該第一の小円孔５の中心を中心として、前記の第一の支持シート３の表面に粘着層を介して、貼り付け貼り取り可能に、貼り付けられている、前記第一の小円孔５より大径の第一の円形貼り付けシート６と、前記第一の小円孔５に前記第一の支持シート３の背面側から装入され、前記第一の円形貼り付けシート６の前記粘着層に貼り付けられる粒状の硬質物８とを備えてなる第一シート部材２からなる貼付具。【選択図】図１
0003179899.tif 000002
【実用新案登録請求の範囲】
【請求項１】
一側縁から当該一側縁に直交して延びる第一の切込み線と、当該第一の切込み線の先端に周縁が当接して形成されている第一の小円孔とを備えている第一の支持シートと、
当該第一の小円孔の中心を中心として、前記の第一の支持シートの表面に粘着層を介して、貼り付け貼り取り可能に、貼り付けられている、前記第一の小円孔より大径の第一の円形貼り付けシートと、
前記第一の小円孔に前記第一の支持シートの背面側から装入され、前記第一の円形貼り付けシートの前記粘着層に貼り付けられる粒状の硬質物と
を備えてなる第一シート部材からなる貼付具。
【請求項２】
一側縁から当該一側縁に直交して延びる第二の切込み線と、当該第二の切込み線の先端に周縁が当接して形成されている前記第一の小円孔と同一の大きさの第二の小円孔とを備えている第二の支持シートと、
当該第二の小円孔の中心を中心として、前記の第二の支持シートの表面に粘着層を介して、貼り付け貼り取り可能に、貼り付けられている、前記第一の円形貼り付けシートと同一の大きさの第二の円形貼り付けシートと、
前記第二の小円孔に前記第二の支持シートの背面側から装入され、前記第二の円形貼り付けシートの前記粘着層に貼り付けられて前記第二の小円孔を閉塞する閉塞シートと
を備えている第二シート部材からなる取換用シートが、請求項１記載の第一シート部材からなる貼付具と組み合わされて、包装袋に収納されてなる貼付具。
【請求項３】
前記第一シート部材は、一方の一側縁と、当該一方の一側縁に対向する他側縁からそれぞれ、当該一側縁及び、当該他側縁に直交して、互いに接近する方向に延びる、前記第一の切込み線を、前記一側縁及び、前記他側縁が延びる方向で所定の間隔を空けて、複数本備えており、
前記第一の小円孔は当該複数本の第一の切込み線のそれぞれの先端に周縁を当接させて複数個形成されており、
前記第一の円形貼り付けシートは、当該複数個の前記第一の小円孔のそれぞれの中心を中心として、前記の第一の支持シートの表面に粘着層を介して、貼り付け貼り取り可能に、複数枚貼り付けられており、
前記粒状の硬質物は、前記複数個の第一の小円孔にそれぞれ前記第一の支持シートの背面側から装入され、前記複数枚の第一の円形貼り付けシートのそれぞれの前記粘着層に貼り付けられる複数個備えられている
ことを特徴とする請求項１記載の貼付具。
【請求項４】
前記第二シート部材は、一方の一側縁と、当該一方の一側縁に対向する他側縁からそれぞれ、当該一側縁及び、当該他側縁に直交して、互いに接近する方向に延びる、前記第二の切込み線を、前記一側縁及び、前記他側縁が延びる方向で所定の間隔を空けて複数本備えており、
前記第二の小円孔は当該複数本の第二の切込み線のそれぞれの先端に周縁を当接させて複数個形成されており、
前記第二の円形貼り付けシートは、当該複数個の前記第二の小円孔のそれぞれの中心を中心として、前記の第二の支持シートの表面に粘着層を介して、貼り付け貼り取り可能に、複数枚貼り付けられており、
前記閉塞シートは、前記第二の小円孔にそれぞれ前記第二の支持シートの背面側から装入され、前記第二の円形貼り付けシートのそれぞれの前記粘着層に貼り付けられて、前記複数個の第二の小円孔のそれぞれを閉塞する複数枚備えられている
ことを特徴とする請求項２記載の貼付具。
【請求項５】
前記複数個の粒状の硬質物は天然水晶粒であり、なおかつ、少なくともその中の半数は天然アメジスト粒であることを特徴とする請求項３記載の貼付具。
【考案の詳細な説明】
【技術分野】
【０００１】
この考案は、“こり”や“ハリ”などを感じる身体の部位に、粒状の硬質物を押し付けつつ貼り付けて当該部分を圧迫し、“こり”や“ハリ”などを緩解する目的で使用する貼付具に関する。
【背景技術】
【０００２】
従来から、身体の“こり”や“ハリ”などの痛みを軽減・緩解する器具、方法は様々なものが知られている。
【０００３】
例えば、専門家による鍼又は灸による治療や、いわゆる肩叩き棒などの器具等で患部を叩いて痛みを和らげる方法などが知られている。
【０００４】
また、家庭内で手軽に行えるように、患部に磁石や突起部などを貼り付けて、前記磁石や突起部などによる患部の血行促進作用を利用した血行促進具なども知られている（特許文献２、３）。
【先行技術文献】
【特許文献】
【０００５】
【特許文献１】特開平６−３１９８１９号公報
【特許文献２】特開２０００−３４４６６２号公報
【特許文献３】特開２０１０−２７４０５６号公報
【考案の概要】
【考案が解決しようとする課題】
【０００６】
上記特許文献２、３記載に提案される血行促進具において、患部に貼り付けた血行促進具が長時間の使用により、患部から剥がれやすくなることがあり、その都度新たな血行促進具を使用する必要が生じる。そのため、磁石や突起部などを再度使用することができなくなり、磁石や突起部などを無駄にしてしまうことになる。
【０００７】
そこで、本考案は、“こり”や“ハリ”などを感じる身体の部位に、粒状の硬質物を押し付けつつ貼り付けて当該部分を圧迫し、“こり”や“ハリ”などを緩解する目的で使用する貼付具であって、前記粒状の硬質物を繰り返して使用できる貼付具を提案することを目的にしている。
【０００８】
そして、このような貼付具であって、粒状の硬質物として天然の水晶粒、より好ましくは、天然のアメジスト（紫水晶）を使用した貼付具を提案することを目的にしている。
【課題を解決するための手段】
【０００９】
上記課題を解決するため、以下の考案を提案する。
【００１０】
請求項１の考案は、
一側縁から当該一側縁に直交して延びる第一の切込み線と、当該第一の切込み線の先端に周縁が当接して形成されている第一の小円孔とを備えている第一の支持シートと、
当該第一の小円孔の中心を中心として、前記の第一の支持シートの表面に粘着層を介して、貼り付け貼り取り可能に、貼り付けられている、前記第一の小円孔より大径の第一の円形貼り付けシートと、
前記第一の小円孔に前記第一の支持シートの背面側から装入され、前記第一の円形貼り付けシートの前記粘着層に貼り付けられる粒状の硬質物と
を備えてなる第一シート部材からなる貼付具
である。
【００１１】
請求項２記載の考案は、
一側縁から当該一側縁に直交して延びる第二の切込み線と、当該第二の切込み線の先端に周縁が当接して形成されている前記第一の小円孔と同一の大きさの第二の小円孔とを備えている第二の支持シートと、
当該第二の小円孔の中心を中心として、前記の第二の支持シートの表面に粘着層を介して、貼り付け貼り取り可能に、貼り付けられている、前記第一の円形貼り付けシートと同一の大きさの第二の円形貼り付けシートと、
前記第二の小円孔に前記第二の支持シートの背面側から装入され、前記第二の円形貼り付けシートの前記粘着層に貼り付けられて前記第二の小円孔を閉塞する閉塞シートと
を備えている第二シート部材からなる取換用シートが、請求項１記載の第一シート部材からなる貼付具と組み合わされて包装袋に収納されてなる貼付具
である。
【００１２】
請求項３記載の考案は、
前記第一シート部材は、一方の一側縁と、当該一方の一側縁に対向する他側縁からそれぞれ、当該一側縁及び、当該他側縁に直交して、互いに接近する方向に延びる、前記第一の切込み線を、前記一側縁及び、前記他側縁が延びる方向で所定の間隔を空けて複数本備えており、
前記第一の小円孔は当該複数本の第一の切込み線のそれぞれの先端に周縁を当接させて複数個形成されており、
前記第一の円形貼り付けシートは、当該複数個の前記第一の小円孔のそれぞれの中心を中心として、前記の第一の支持シートの表面に粘着層を介して、貼り付け貼り取り可能に、複数枚貼り付けられており、
前記粒状の硬質物は、前記複数個の第一の小円孔にそれぞれ前記第一の支持シートの背面側から装入され、前記複数枚の第一の円形貼り付けシートのそれぞれの前記粘着層に貼り付けられる複数個備えられている
ことを特徴とする請求項１記載の貼付具
である。
【００１３】
請求項４記載の考案は、
前記第二シート部材は、一方の一側縁と、当該一方の一側縁に対向する他側縁からそれぞれ、当該一側縁及び、当該他側縁に直交して、互いに接近する方向に延びる、前記第二の切込み線を、前記一側縁及び、前記他側縁が延びる方向で所定の間隔を空けて複数本備えており、
前記第二の小円孔は当該複数本の第二の切込み線のそれぞれの先端に周縁を当接させて複数個形成されており、
前記第二の円形貼り付けシートは、当該複数個の前記第二の小円孔のそれぞれの中心を中心として、前記の第二の支持シートの表面に粘着層を介して、貼り付け貼り取り可能に、複数枚貼り付けられており、
前記閉塞シートは、前記第二の小円孔にそれぞれ前記第二の支持シートの背面側から装入され、前記第二の円形貼り付けシートのそれぞれの前記粘着層に貼り付けられて、前記複数個の第二の小円孔のそれぞれを閉塞する複数枚備えられている
ことを特徴とする請求項２記載の貼付具
である。
【００１４】
請求項５記載の考案は、
前記複数個の粒状の硬質物は天然水晶粒であり、なおかつ、少なくともその中の半数は天然アメジスト粒であることを特徴とする請求項３記載の貼付具
である。
【考案の効果】
【００１５】
本考案によれば、“こり”や“ハリ”などを感じる身体の部位に、粒状の硬質物を押し付けつつ貼り付けて当該部分を圧迫し、“こり”や“ハリ”などを緩解する目的で使用する貼付具であって、前記粒状の硬質物を繰り返して使用できる貼付具を提供することができる。
【００１６】
そして、このような貼付具であって、粒状の硬質物として天然の水晶粒、特に、天然のアメジスト（紫水晶）を使用した貼付具を提供することができる。
【図面の簡単な説明】
【００１７】
【図１】本考案の貼付具の一例を表す図であって、（ａ）複数枚の第一の円形貼り付けシートが貼り付け貼り取り可能に貼り付けられている形態の第一シート部材の表面を表す図、（ｂ）図１（ａ）の背面を表す図、（ｃ）粒状の硬質物質が取り付けられている状態の第一の円形貼り付けシートの粘着層の側を表す平面図、（ｄ）図１（ｃ）の側面図。
【図２】図１図示の貼付具と組み合わされ、一緒に、袋に収納される取換用シートの一例を表す図であって、（ａ）複数枚の第二の円形貼り付けシートが貼り付け貼り取り可能に貼り付けられている形態の第二シート部材の表面を表す図、（ｂ）図２（ａ）の背面を表す図。
【図３】本考案の貼付具の使用状態を表す図であって、（ａ）上腕部に使用した状態、（ｂ）肩部に使用した状態、（ｃ）腰部に使用した状態、（ｄ）膝部に使用した状態、（ｅ）肩、腰部、頚部、背部、及び殿部に使用した状態を表す図。
【図４】本考案の貼付具における粒状硬質物を、取換用シートの第二の円形貼り付けシートに取り付けて使用する状態を説明する図であって、（ａ）取換用シートにおける閉塞シートを剥がす状態、（ｂ）露出した第二の円形貼り付けシートの粘着層に粒状の硬質物を貼り付ける状態、（ｃ）粒状の硬質物が粘着層に貼り付けられた第二の円形貼り付けシートを、第二の支持シートの表面から剥がす状態、（ｄ）剥がした第二の円形貼り付けシートを粒状硬質物を皮膚に押圧しながら皮膚に貼り付ける状態を表す図。
【考案を実施するための形態】
【００１８】
以下、添付図面を参照して本考案の実施形態について説明する。
【００１９】
本考案は、天然の水晶、好ましくはアメジスト（紫水晶）からなる粒状の硬質物が粘着層に取り付けられている、人間の身体に貼り付け貼り取り可能なシート（第一、あるいは第二の円形貼り付けシートからなる粘着テープ）を、指で触って“こり”や“ハリ” （以下「コリ等」という）を感じる身体の部位に貼り付けることにより、コリ等の緩解を目指すものであって、家庭などにおいて簡単に使用できるものである。
【００２０】
本考案の貼付具の一例を、図１、図３を参照して説明する。
【００２１】
本考案の貼付具１は、第一の支持シート３と、第一の円形貼り付けシート６と、粒状の硬質物８とを備えている第一シート部材２からなる。
【００２２】
第一の支持シート３は、図１の例では、長方形状であって、一側縁（図１の例では、上側の縁）から当該一側縁に直交して延びる第一の切込み線４を備えている。そして、第一の切込み線４の先端に周縁が当接するように第一の小円孔５が形成されている。
【００２３】
第一の円形貼り付けシート６は、第一の小円孔５より大径であって、第一の小円孔５の中心を中心として、第一の支持シート３の表面３ａに粘着層７を介して、貼り付け貼り取り可能に、貼り付けられている。
【００２４】
第一の支持シート３の表面３ａは、例えば、剥離紙で構成されており、第一の円形貼り付けシート６が、その粘着層７を介して、第一の支持シート３の表面３ａに、貼り付け貼り取り可能に、貼り付けられている。
【００２５】
粒状の硬質物８は、第一の小円孔５に第一の支持シート３の背面側（図１の裏面側）から装入され、第一の円形貼り付けシート６の粘着層７に貼り付けられている（図１（ｃ）、（ｄ））。
【００２６】
図示の実施形態では、第一の支持シート３は、複数本の第一の切込み線４を備えている。
【００２７】
すなわち、図１（ａ）、（ｂ）に図示されるように、第一の支持シート３の一方の一側縁（図１（ａ）中、上側の縁）と、当該一方の一側縁に対向する他側縁（図１（ａ）中、下側の縁）から、それぞれ、当該一側縁及び、当該他側縁に直交して、互いに接近する方向に延びており、前記一側縁及び、前記他側縁が延びる方向（図１（ａ）中、左右方向）で所定の間隔を空けている、第一の切込み線４が、図１（ａ）中、上下に５本ずつ、合計１０本、形成されている。
【００２８】
後述するように、第一の支持シート３から第一の円形貼り付けシート６を剥がす際に、第一の切込み線４が第一の支持シート３に備えられていることによって、剥がしやすくなる。
【００２９】
前記のように、上下に５本ずつ、合計１０本の第一の切込み線４が第一の支持シート３に形成されているので、これに対応して、複数個（１０個）の第一の小円孔５が、その周縁が１０本の第一の切込み線４のそれぞれの先端に当接するように形成されている（図１（ａ）、（ｂ））。
【００３０】
同様に、１０個の第一の小円孔５のそれぞれの中心を中心として、１０枚の第一の円形貼り付けシート６がそれぞれの粘着層７を介して、第一の支持シート３の表面３ａに、貼り付け貼り取り可能に、貼り付けられている（図１（ａ））。
【００３１】
そして、１０個の粒状の硬質物８が、１０個の第一の小円孔５にそれぞれ第一の支持シート３の背面３ｂ側から装入され、１０枚の第一の円形貼り付けシート６のそれぞれの粘着層７に貼り付けられている（図１（ｂ））。
【００３２】
第一の小円孔５は、本実施形態では円形としているが、その他、四角形状や装入される粒状の硬質物８の形状に応じて様々な形状を選択することができる。
【００３３】
第一の円形貼り付けシート６について、本実施形態では円形としているが（図1（ａ）、（ｃ））、コリ等を感じる身体の部位に貼り付ける際に支障がなければ様々な形状を選択することができる。
【００３４】
また、粒状の硬質物８について、本実施形態では天然水晶粒を使用した。特に、図１（ａ）、（ｂ）に示す１０個の粒状の硬質物８は全部を天然水晶粒とし、その中の半数（５個）は、天然アメジスト粒を使用した。これはコリ等の効果的な緩解を目指したものである。
【００３５】
図１図示の実施形態では、一枚の第一の支持シート３に１０本の第一の切込み線４が形成され、これに対応して、１０個の第一の小円孔５が形成され、１０枚の第一の円形貼り付けシート６が第一の支持シート３の表面３ａに貼り付けられ、１０個の粒状の硬質物８が１０枚の第一の円形貼り付けシート６のそれぞれの粘着層７に貼り付けられているが、例えば、図１（ａ）中、左上の１か所のみ（一枚の第一の円形貼り付けシート６が貼り付けられている箇所における第一の支持シート３の部分のみ）で本考案の貼付具１として提供することもできる。
【００３６】
指で触ってコリ等を感じる身体の部位に、コリ等の緩和を目的にして、図１（ａ）、（ｂ）図示の貼付具１を貼り付けて使用する場合の一例を以下に説明する。
【００３７】
第一の支持シート３の表面３ａに貼り付けられている第一の円形貼り付けシート６を第一の支持シート３の表面３ａから剥がし取る。その際、第一の切込み線４に沿って第一の支持シート３の表面３ａを摘み取ると、容易に第一の円形貼り付けシート６を第一の支持シート３の表面３ａから剥がし取るができる。
【００３８】
第一の円形貼り付けシート６を第一の支持シート３の表面３ａから剥がし取った後、第一の貼り付けシート６の粘着層７に貼り付けられている粒状の硬質物８（図１（ｃ）、（ｄ））をコリ等を感じる身体の部位に接触させながら、第一の貼り付けシート６を粘着層７を介して身体に貼り付ける。
【００３９】
例えば、図３に図示されるように、腕１６、肩１７、腰部１８、膝１９、頚部２０、背部２１又は殿部２２の、コリ等を感じる部位に粒状の硬質物８を接触させながら、第一の円形貼り付けシート６を、その粘着層７を介して、コリ等を感じる部位に、貼り付け、貼り取り可能に、貼り付ける。
【００４０】
これにより、粒状の硬質物８がコリ等を感じる部位を圧迫するので、当該部分の血行が促進される、等により、コリ等の緩和を図ることができる。
【００４１】
このように、本考案の貼付具１は、コリ等を感じる身体の部位に、粒状の硬質物８が貼り付けられた第一の円形貼り付けシート６を貼り付けて、粒状の硬質物８でコリ等を感じる身体の部位を圧迫し、コリ等の緩和を図ることができるものである。
【００４２】
次に、上述した本考案の貼付具１と組み合わされて、一緒に、透明な袋などの収容袋の中に収容される、取換用シートの一例を、図２、図４を参照して説明する。
【００４３】
取換用シート９は、第二の支持シート１１と、第二の円形貼り付けシート１４と、閉塞シート１５とを備えている第二シート部材１０からなる。
【００４４】
取換用シート９は、前述した本考案の貼付具１と組み合わされて、一緒に、透明な袋などの収容袋の中に収容されて、消費者、使用者に、本考案の貼付具として提供（販売）されるものである。そして、後述するように、身体に貼り付けていた第一の円形貼り付けシート６の粘着層７の粘着力が弱ってきたときに、第一の円形貼り付けシート６を身体から引き剥がし、その引き剥がした第一の円形貼り付けシート６に貼り付けられていた粒状の硬質物８を引き剥がし、取換用シート９を構成している第二の円形貼り付けシート１４の粘着層に貼り付け、こうして、粒状の硬質物８が粘着層に貼り付けられた第二の円形貼り付けシート１４を、再度、コリ等を感じる身体の部位に貼り付けて使用する際に用いられるものである。
【００４５】
そこで、取換用シート９を構成する、第二の支持シート１１と、第二の円形貼り付けシート１４と、閉塞シート１５とを備えている第二シート部材１０の形状、構造は、以下に説明するように、上述した本考案の貼付具１を構成する、第一の支持シート３と、第一の円形貼り付けシート６と、粒状の硬質物８とを備えている第一シート部材２の形状、構造に対応するものになっている。
【００４６】
第二の支持シート１１は、図２の例では、第一の支持シート３と同じく長方形状であって、一側縁（図２の例では、上側の縁）から当該一側縁に直交して延びる第二の切込み線１２を備えている。そして、第二の切込み線１２の先端に周縁が当接するように第二の小円孔１３が形成されている。第二の小円孔１３の大きさは、第一の支持シート３における第一の小円孔５の大きさと同一である。
【００４７】
第二の円形貼り付けシート１４は、貼付具１を構成する第一の円形貼り付けシート６と同一の大きさであって、第一の円形貼り付けシート６に備えられている粘着層７と同様の粘着層７（図２（ｂ）を介して、貼り付け貼り取り可能に、第二の小円孔１３の中心を中心として、第二の支持シート１１の表面１１ａに、貼り付けられている。
【００４８】
第二の支持シート１１の表面１１ａも、例えば、剥離紙で構成されており、第二の円形貼り付けシート１４が、その粘着層を介して、第二の支持シート１１の表面１１ａに、貼り付け貼り取り可能に、貼り付けられている。
【００４９】
閉塞シート１５は、第二の小円孔１３に第二の支持シート１１の背面側（図２の背面側）から装入され、第二の円形貼り付けシート１４の粘着層７に貼り付けられて第二の小円孔１３を閉塞する（図２（ｂ））。第二の小円孔１３を閉塞することから、閉塞シート１５は、第二の小円孔１３の形状に対応した円形になっている。
【００５０】
取換用シート９は、本考案の貼付具１と組み合わされて、一緒に、透明な袋などの収容袋の中に収容されて、消費者、使用者に、本考案の貼付具として提供（販売）され、上述したように使用されるものであるので、図２図示の実施形態でも、上下に５本ずつ、合計１０本の第二の切込み線１２が第二の支持シート１１に形成され、これに対応して、複数個（１０個）の第二の小孔１３が、その周縁が１０本の第二の切込み線１２のそれぞれの先端に当接するように形成され、１０個の第二の小孔１３のそれぞれの中心を中心として、１０枚の第二の円形貼り付けシート１４がそれぞれの粘着層７を介して、第二の支持シート１１の表面１１ａに、貼り付け貼り取り可能に、貼り付けられ、１０枚の円形の閉塞シート１５が、１０個の第二の小孔１３にそれぞれ第二の支持シート１１の背面１１ｂ側から装入され、１０枚の第二の円形貼り付けシート１４のそれぞれの粘着層７に貼り付けられている（図２（ａ）、（ｂ））。
【００５１】
第二の切込み線１２が第二の支持シート１１に備えられているのは、第一の切込み線４が第一の支持シート３に備えられているのと同様に、後述するように、第二の支持シート１１から第二の円形貼り付けシート１４を剥がす際に、第二の切込み線１２が第二の支持シート１１に備えられていることによって、剥がしやすくなるからである。
【００５２】
上述したように、第一の小円孔５、第一の円形貼り付けシート６について、様々な形状を選択することができるのと同様に、第二の小円孔１３、第二の円形貼り付けシート１４も、対応する第一の小円孔５、第一の円形貼り付けシート６の形状に応じて、様々な形状を選択することができる。
【００５３】
なお、貼付具１が、例えば、図１（ａ）中、左上の１か所のみ（一枚の第一の円形貼り付けシート６が貼り付けられている第一の支持シート３の部分のみ）で提供されるものである場合、貼付具１と組み合わされて、一緒に、透明な袋などの収容袋の中に収容されて、消費者、使用者に、本考案の貼付具として提供（販売）されることになる取換用シート９も、図２（ａ）中、左上の１か所のみ（一枚の第二の円形貼り付けシート１４が貼り付けられている第二の支持シート１１の部分のみ）で提供することができる。
【００５４】
次に、身体のコリ等が感じられる部位に貼り付けられていた第一の円形貼り付けシート６の粘着層７の粘着力が弱ってきたときに、第一の円形貼り付けシート６を身体から引き剥がし、その引き剥がした第一の円形貼り付けシート６に貼り付けられていた粒状の硬質物８を引き剥がし、取換用シート９を構成している第二の円形貼り付けシート１４の粘着層７に貼り付け、こうして、粒状の硬質物８が粘着層７に貼り付けられた第二の円形貼り付けシート１４を、再度、コリ等を感じる身体の部位に貼り付けて使用する場合について以下に説明する。
【００５５】
第二の支持シート１１の背面１１ｂであって、第二の貼り付けシート１４の粘着層７に貼り付けられている閉塞シート１５を第二の支持シート１１の背面１１ｂから剥がし取り、第二の貼り付けシート１４の粘着層７を露出させる（図４（ａ））。
【００５６】
粘着力が弱ってきたとして身体から剥がしてきた第一の円形貼り付けシート６の粘着層７から粒状の硬質物８を取り外し、取り外した粒状の硬質物８を、露出した第二の貼り付けシート１４の粘着層７に貼り付ける（図４（ｂ））。
【００５７】
こうして粘着層７に粒状の硬質物８が貼り付けられた第二の円形貼り付けシート１４を、第二の支持シート１１の表面１１ａから剥がし取る。その際、第二の切込み線１２に沿って第二の支持シート１１の表面１１ａを摘み取ると、容易に第二の貼り付けシート１４を第二の支持シート１１の表面１１ａから剥がし取るができる（図４（ｃ））。
【００５８】
第二の貼り付けシート１４を第二の支持シート１１の表面１１ａから剥がし取った後、第二の貼り付けシート１４の粘着層７に貼り付けられている粒状の硬質物８を、コリ等を感じる部位に押しつけつつ、第二の貼り付けシート１４を、その粘着層７を介して、身体のコリ等を感じる部位に貼り付け、貼り取り可能に貼り付ける（図４（ｄ））。
【００５９】
これにより、粒状の硬質物８でコリ等を感じる身体の部位を圧迫し、コリ等の緩和を図ることができる。
【００６０】
このように、貼付具１を構成している第一の円形貼り付けシート６の粘着力が弱くなってきたならば、取換用シート９を構成している第二の円形貼り付けシート１４に取り換えて使用することで、コリ等の緩和に使用される粒状の硬質物８を無駄にせず繰り返し使用することができる。
【００６１】
以上、添付図面を参照して本考案の好ましい実施形態を説明したが、本考案はかかる実施形態に限定されるものではなく、実用新案登録請求の範囲の記載から把握される技術的範囲において種々に変更可能である。
【符号の説明】
【００６２】
１  貼付具
２  第一シート部材
３  第一の支持シート
３ａ  第一の支持シートの表面
４  第一の切込み線
５  第一の小円孔
６  第一の円形貼り付けシート
７    粘着層
８  粒状の硬質物
９    取換用シート
１０  第二シート部材
１１  第二の支持シート
１１ａ  第二の支持シートの表面
１２  第二の切込み線
１３  第二の小円孔
１４  第二の円形貼り付けシート
１５  閉塞シート
【図１】
0003179899.tif 000003
【図２】
0003179899.tif 000004
【図３】
0003179899.tif 000005
【図４】
0003179899.tif 000006